(57)【要約】【課題】作業効率の向上を図ること。【解決手段】一対の端子部１０３と、導電材料を用いて形成されて一対の端子部１０３のそれぞれに電気的に接続され、当該一対の端子部１０３の対向方向において離間した一対の第１短絡片２０３と、導電材料を用いて形成され、一対の第１短絡片２０３とは別体であって、当該一対の第１短絡片２０３のそれぞれに接触することにより当該一対の第１短絡片２０３どうしを電気的に接続する第２短絡片２０４と、第２短絡片２０４を一対の第１短絡片２０３のそれぞれに接触した状態で固定する単一の固定部材を実現する固定用ネジ２０７と、を備えたロック端子１００を構成した。【選択図】図９
2020021578.tif 000002
【特許請求の範囲】
【請求項１】
一対の端子部と、
導電材料を用いて形成されて一対の端子部のそれぞれに電気的に接続され、当該一対の端子部の対向方向において離間した一対の第１短絡片と、
導電材料を用いて形成され、前記一対の第１短絡片とは別体であって、当該一対の第１短絡片のそれぞれに接触することにより当該一対の第１短絡片どうしを電気的に接続する第２短絡片と、
前記第２短絡片を前記一対の第１短絡片のそれぞれに接触した状態で固定する単一の固定部材と、
を備えたことを特徴とするロック端子。
【請求項２】
前記固定部材は、外周面にネジ山が形成された軸部と、当該軸部の一端に設けられて締付工具による操作を受け付ける頭部と、を備えたネジであることを特徴とする請求項１に記載のロック端子。
【発明の詳細な説明】
【技術分野】
【０００１】
この発明は、保護継電器盤などに配置されるロック端子に関する。
【背景技術】
【０００２】
保護継電器と遮断器とを接続する電力保護制御回路は、保護継電器から出力される信号に応じて遮断器を動作させる。保護継電器と遮断器との間には、常時は、保護継電器と遮断器とを導通する閉状態とするロック端子が設けられている。このロック端子は、保護継電器に接続された端子部と、遮断器に接続された端子部と、の一対の端子部を備えている。一対の端子部は、通常時においては、短絡部材によって短絡されている。一対の端子部を短絡部材によって短絡することにより、保護継電器と遮断器のトリップコイルとを接続する回路が構成され、保護継電器から出力される信号により遮断器を動作させることができる。
【０００３】
このようなロック端子においては、点検作業時などに際して、遮断器を誤動作させないように短絡部材を取り外し、保護継電器と遮断器との導通を開放する開状態にする。作業によっては、取り外すロック端子の数が多く、時間がかかることがあった。このような不具合を解消するため、従来より各種の技術があった。
【０００４】
具体的には、従来、たとえば、一端部が臨出するように基板に固定される一対の端子部間を電気的に接続できる長さを有する接続板と、各端子部の一端部のそれぞれに配置された接続板を挿通するための挿通部と、各挿通部に挿通された接続板を各端子部の一端部のそれぞれに押圧する締結部材とを備えた試験用端子台に関する技術があった（たとえば、下記特許文献１を参照。）。
【０００５】
また、具体的には、従来、たとえば、先端側に摘み部が取り付けられた導電性の一対の軸部（一対の端子）のそれぞれに、所定の位置において一対の軸部間において接続される第１の短絡片と第２の短絡片とを設け、摘み部の回動に伴って第１の短絡片と第２の短絡片とを回動させて第１の短絡片と第２の短絡片とを接触させることにより短絡プラグを構成するようにしたトリップロック端子台に関する技術があった（たとえば、下記特許文献２を参照。）。
【０００６】
また、具体的には、従来、たとえば、一対の端子部間を短絡し得るとともに端子部に対して着脱可能であって、導電部材で形成され、一方の面が絶縁部材で覆われるとともに、他方の面における端子部と接触する両端部を除く中央部が絶縁部材で覆われた接続バーと、導電部材からなるロッドに螺合されて接続バーを挟持する一組のナットのうち盤の前面側のナットの表面をそれぞれ絶縁部材で覆った端子と、を備えたトリップロック端子に関する技術があった（たとえば、下記特許文献３を参照。）。
【０００７】
また、具体的には、従来、たとえば、一端に端子ねじに掛け止める掛止部を備え他端に可動導体を備えた金属導通板を収納した端子台受具に、絶縁体から成る摘み部に取り付けられた導体を備えたプラグを挿抜することにより、導体と金属導通板とが導通／不導通になるように構成したトリップロック端子台に関する技術があった（たとえば、下記特許文献４を参照。）。
【先行技術文献】
【特許文献】
【０００８】
【特許文献１】特許第５３００９４０号公報
【特許文献２】特開２０１１−６０５８８号公報
【特許文献３】特開２０１０−１４８３３７号公報
【特許文献４】特開２００８−１９３７６３号公報
【発明の概要】
【発明が解決しようとする課題】
【０００９】
しかしながら、上述した特許文献１に記載された従来の技術は、締結部材の頭部が端子部から離間しているため、接続板を抜いた状態での電圧測定や計器からの測定用リード線の接続が困難になるとともに、接続板の着脱に際して手間がかかり煩わしいという問題があった。
【００１０】
また、上述した特許文献２に記載された従来の技術は、摘み部の回動に伴って回動する第１の短絡片および第２の短絡片を、弾性部材の付勢力を利用して接触させるようにしているため、弾性部材が劣化した場合は一対の端子を接触させることが難しくなり、長期にわたる安定性に不安があるという問題があった。
【００１１】
また、上述した特許文献３に記載された従来の技術は、接続バーが導電部材で形成されているため、接続バーの表裏を入れ替えることによって一対の端子部が確実に絶縁されるかどうかに不安があるという問題があった。
【００１２】
また、上述した特許文献４に記載された従来の技術は、端子台受具の可動導体を弾性部材によって付勢することによりプラグにおける導体との電気的な導通および端子台受具に対するプラグの装着を確保するようにしているため、弾性部材が劣化した場合のプラグが落下により一対の端子の導通が確保されなくなるなどして、長期にわたる安定性に不安があるという問題があった。また、盤から手前に突出している量が大きいため、配電盤の設置場所によっては作業性に劣るという問題があった。
【００１３】
この発明は、上述した従来技術による問題点を解消するため、作業効率の向上を図ることができるロック端子を提供することを目的とする。
【課題を解決するための手段】
【００１４】
上述した課題を解決し、目的を達成するため、この発明にかかるロック端子は、一対の端子部と、導電材料を用いて形成されて一対の端子部のそれぞれに電気的に接続され、当該一対の端子部の対向方向において離間した一対の第１短絡片と、導電材料を用いて形成され、前記一対の第１短絡片とは別体であって、当該一対の第１短絡片のそれぞれに接触することにより当該一対の第１短絡片どうしを電気的に接続する第２短絡片と、前記第２短絡片を前記一対の第１短絡片のそれぞれに接触した状態で固定する単一の固定部材と、を備えたことを特徴とする。
【００１５】
また、この発明にかかるロック端子は、上記の発明において、前記固定部材が、外周面にネジ山が形成された軸部と、当該軸部の一端に設けられて締付工具による操作を受け付ける頭部と、を備えたネジであることを特徴とする。
【発明の効果】
【００１６】
この発明にかかるロック端子によれば、作業効率の向上を図ることができるという効果を奏する。
【図面の簡単な説明】
【００１７】
【図１】この発明にかかる実施の形態のロック端子を備えた保護継電器盤の外観を示す説明図である。
【図２】この発明にかかる実施の形態のロック端子の構成を示す説明図（その１）である。
【図３】この発明にかかる実施の形態のロック端子の構成を示す説明図（その２）である。
【図４】一対の第１短絡片、導電補助部材および支持部材を示す説明図（その１）である。
【図５】一対の第１短絡片、導電補助部材および支持部材を示す説明図（その２）である。
【図６】一対の第１短絡片、導電補助部材および支持部材を示す説明図（その３）である。
【図７】第２短絡片を示す説明図である。
【図８】この発明にかかる実施の形態のロック端子に対する操作手順の一例を示す説明図（その１）である。
【図９】この発明にかかる実施の形態のロック端子に対する操作手順の一例を示す説明図（その２）である。
【図１０】この発明にかかる実施の形態のロック端子に対する操作手順の一例を示す説明図（その３）である。
【図１１】この発明にかかる実施の形態のロック端子に対する操作手順の一例を示す説明図（その４）である。
【発明を実施するための形態】
【００１８】
以下に添付図面を参照して、この発明にかかるロック端子の好適な実施の形態を詳細に説明する。
【００１９】
（保護継電器盤の外観）
まず、この発明にかかる実施の形態のロック端子を備えた保護継電器盤の外観について説明する。図１は、この発明にかかる実施の形態のロック端子を備えた保護継電器盤の外観を示す説明図である。図１に示すように、この発明にかかる実施の形態のロック端子１００は、保護継電器盤１０１の筐体１０２の正面（前面）に、複数配設されている。
【００２０】
ロック端子１００は、それぞれ、一対の端子部１０３を備えている。一対の端子部１０３のうちの一方の端子部１０３ａは保護継電器（図示を省略する）に接続され、他方の端子部１０３ｂは遮断器（図示を省略する）に接続されている。一対の端子部１０３（１０３ａ、１０３ｂ）は、通常時においては、短絡部材１０４によって短絡されている。一対の端子部１０３を短絡部材１０４によって短絡することにより、保護継電器と遮断器のトリップコイル（図示を省略する）とを接続する回路が構成され、保護継電器から出力される信号により遮断器を動作させることができる。
【００２１】
保護継電器盤１０１の筐体１０２において、各ロック端子１００の近傍には、それぞれ、各ロック端子１００の接続先の機器や、当該ロック端子の名称などを示す名称プレート１０５が設けられている。名称プレート１０５は、所定の厚さの板状部材によって実現することができ、一面を筐体１０２に当接させ、当該一面とは反対側の他面を保護継電器盤１０１の正面側に向けて設けられている。名称プレート１０５において、接続先の機器や当該ロック端子の名称などを示す文字は、正面側の面に記載されている。
【００２２】
（ロック端子１００の構成）
つぎに、この発明にかかる実施の形態のロック端子１００の構成について説明する。図２および図３は、この発明にかかる実施の形態のロック端子１００の構成を示す説明図である。図２においては、この発明にかかる実施の形態のロック端子１００を正面側から見た状態を示している。図３においては、図２におけるＡ矢視図を示している。
【００２３】
図２および図３において、ロック端子１００が備える一対の端子部１０３（１０３ａ、１０３ｂ）は、それぞれ、ロッド２０１を備えている。ロッド２０１は、それぞれ、導電材料を用いて形成されており、棒形状をなす。ロッド２０１は、保護継電器盤１０１などの筐体１０２における正面側のパネル３０１を貫通し、一端側がパネル３０１の正面側に突出し、他端側がパネル３０１の背面側（保護継電器盤１０１の筐体１０２の内側）に突出している。
【００２４】
ロッド２０１は、それぞれ、取付台３０２によって支持されている。取付台３０２は、絶縁材料を用いて形成されている。取付台３０２は、一対のキャップ状部材３０２ａ、３０２ｂを備えており、当該一対のキャップ状部材３０２ａ、３０２ｂを保護継電器盤１０１の裏側で嵌合させることによって保護継電器盤１０１に取り付けられている。
【００２５】
取付台３０２を構成する一対のキャップ状部材３０２ａ、３０２ｂの底部には、それぞれ、ロッド２０１の外径寸法と同程度の開口径の貫通孔（図示を省略する）が設けられている。ロッド２０１は、各キャップ状部材３０２ａ、３０２ｂの貫通孔を貫通するように挿入されることによって、保護継電器盤１０１に固定されている。
【００２６】
ロッド２０１において、パネル３０１の正面側に突出した部分の外周面には、ネジ山（図示を省略する）が形成されている。ネジ山には、締付ネジ３０３が螺合されている。締付ネジ３０３は、ロッド２０１に形成されたネジ山に螺合するネジ山が設けられたネジ穴を備えている。締付ネジ３０３における正面側の端部には、保護部材２０２が設けられている。締付ネジ３０３および保護部材２０２は、絶縁材料を用いて形成されている。
【００２７】
各ロッド２０１には、一対の第１短絡片２０３がそれぞれ連結されている。一対の第１短絡片２０３は、それぞれ、平板形状をなし、一端に各ロッド２０１と係合する係合部を備えている。係合部は、たとえば、ロッド２０１の外径と同等の幅寸法の溝や、ロッド２０１の外径と同等の曲率で湾曲するフックなどによって実現することができる。
【００２８】
一対の第１短絡片２０３は、それぞれ、金属などの導電性を有する材料を用いて形成されている。各第１短絡片２０３は、それぞれ、係合部をロッド２０１に引っ掛けて係合部とロッド２０１とを電気的に接続した状態で、締付ネジ３０３をロッド２０１に締め付けることによって、取付台３０２と締付ネジ３０３との間に狭持された状態で固定されている。
【００２９】
一対の第１短絡片２０３は、第２短絡片２０４とともに短絡部材１０４を構成する。第２短絡片２０４は、矩形の平板形状をなす部材であって、金属などの導電性を有する材料を用いて形成されている。第２短絡片２０４は、一対の第１短絡片２０３とは別体であって、当該一対の第１短絡片２０３のそれぞれに接触することにより当該一対の第１短絡片２０３どうしを電気的に接続する。
【００３０】
一対の端子部１０３の対向方向において、一対の第１短絡片２０３の間には、導電補助部材２０５が設けられている。導電補助部材２０５は、平板形状をなし、金属などの導電性を有する材料を用いて形成されている。一対の第１短絡片２０３および導電補助部材２０５の板厚は、導電補助部材２０５の板厚と等しい。一対の第１短絡片２０３における係合部とは反対側の他端、および、導電補助部材２０５は、それぞれ、支持部材２０６に固定されている。
【００３１】
支持部材２０６は、保護継電器盤１０１の筐体１０２（パネル３０１）の正面側に固定されている。支持部材２０６は、方体形状をなし、絶縁材料を用いて形成されている。支持部材２０６は、方体形状をなす６面のうちの１面を保護継電器盤１０１に当接させた状態で保護継電器盤１０１に固定されている。一対の第１短絡片２０３における他端、および、導電補助部材２０５は、保護継電器盤１０１に当接されている１面に正対する位置にある別の１面に固定されている。
【００３２】
支持部材２０６における別の１面には、導電補助部材２０５を貫通し当該別の１面から支持部材２０６の内側に凹むネジ穴３０４が設けられている。ネジ穴３０４には、固定用ネジ２０７が螺合される。固定用ネジ２０７は、外周面にネジ山が形成された軸部２０７ａと、当該軸部２０７ａの一端に設けられて締付工具による操作を受け付ける頭部２０７ｂと、を備えている。この実施の形態において、固定用ネジ２０７は、この発明にかかる固定部材を実現する。
【００３３】
固定用ネジ２０７は、具体的には、たとえば、レンチ（スパナ）などの汎用的な締付工具を用いて操作可能な六角ボルトなどによって実現することができる。あるいは、固定用ネジ２０７は、具体的には、プラスやマイナスのドライバーを用いて操作可能なネジであってもよい。
【００３４】
図４〜図６は、一対の第１短絡片２０３、導電補助部材２０５および支持部材２０６を示す説明図である。図４においては、一対の第１短絡片２０３、導電補助部材２０５および支持部材２０６を正面側から見た状態を示している。図５は、図４におけるＢ−Ｂ断面を示している。図６は、図４におけるＣ−Ｃ断面を示している。
【００３５】
図４〜図６に示すように、一対の第１短絡片２０３における係合部とは反対側の他端、および、導電補助部材２０５は、それぞれ、皿ネジ４０１を用いて支持部材２０６における別の１面に固定されている。支持部材２０６における別の１面に固定された一対の係合部および導電補助部材２０５における正面側の面、および、これらに螺合される皿ネジ４０１における座面とは反対側の面（皿ネジ４０１の端面）は、同一平面内に位置付けられている。
【００３６】
一対の第１短絡片２０３は、一対の端子部１０３の対向方向において離間している。また、導電補助部材２０５は、一対の第１短絡片２０３のそれぞれと離間している。すなわち、一対の端子部１０３の対向方向において、一対の第１短絡片２０３の他端と導電補助部材２０５との間には、それぞれ隙間が確保されている。これにより、保護継電器に接続された第１短絡片２０３と、遮断器に接続された第１短絡片２０３と、導電補助部材２０５とは、電気的に絶縁されている。
【００３７】
図７は、第２短絡片２０４を示す説明図である。図７において、第２短絡片２０４は、第２短絡片２０４における１辺から内側に凹むスリット７０１を備えている。スリット７０１の幅寸法は、固定用ネジ２０７の軸部２０７ａの外径寸法と同等以上とされている。スリット７０１における突き当たり部分は、第２短絡片２０４が支持部材２０６に固定された状態において、固定用ネジ２０７の軸部２０７ａの軸心方向に沿って、支持部材２０６に設けられたネジ穴３０４と重複している。
【００３８】
第２短絡片２０４において、スリット７０１の切れ込みが入っている１辺とは反対側の対辺には、ツマミ部７０２が設けられている。ツマミ部７０２は、第２短絡片２０４を形成する平板における対辺を、第２短絡片２０４の板面に対して交差する方向（支持部材２０６から離反する方向）に屈曲させることによって、第２短絡片２０４と一体に形成されている。
【００３９】
第２短絡片２０４は、ツマミ部７０２が設けられている面とは反対側の面を、一対の第１短絡片２０３の他端および導電補助部材２０５に当接させた状態で、固定用ネジ２０７を締め込むことによって支持部材２０６に対して固定される。第２短絡片２０４を支持部材２０６に対して固定した状態においては、一対の第１短絡片２０３、導電補助部材２０５および第２短絡片２０４が電気的に接続される。
【００４０】
第２短絡片２０４は、ツマミ部７０２が設けられている面とは反対側の面にリブ７０３を備えている。リブ７０３は、スリット７０１の長さ方向に平行に延出している。リブ７０３は、第２短絡片２０４を支持部材２０６に対して固定した状態において、一方の端子部１０３ａが備えるロッド２０１に接続された第１短絡片２０３と導電補助部材２０５との間に位置付けられる。これにより、一対の第１短絡片２０３、導電補助部材２０５および第２短絡片２０４を、確実に電気的に接続することができる。
【００４１】
第２短絡片２０４は、固定用ネジ２０７を緩めることによって、支持部材２０６、すなわち、一方の第１短絡片２０３および導電補助部材２０５から取り外す（離間させる）ことができる。第２短絡片２０４は、スリット７０１を備えているため、固定用ネジ２０７を支持部材２０６から完全に取り外さず軸部２０７ａの先端側の一部をネジ穴３０４に螺合させた状態（緩めた状態）において、スリット７０１の切れ込みが入っている１辺側からツマミ部７０２側にスライドさせることによって、一方の第１短絡片２０３および導電補助部材２０５から取り外すことができる。
【００４２】
（ロック端子１００に対する操作手順の一例）
この発明にかかる実施の形態のロック端子１００に対する操作手順の一例について説明する。図８〜図１１は、この発明にかかる実施の形態のロック端子１００に対する操作手順の一例を示す説明図である。
【００４３】
一対の端子部１０３が短絡部材１０４によって短絡された状態（図２を参照）において、保護継電器と遮断器のトリップコイルとを接続する回路を開放する場合、まず、固定用ネジ２０７を緩める方向に回転させる。固定用ネジ２０７は、図８に示すように、固定用ネジ２０７の座面と第２短絡片２０４との間に隙間ができるまで、緩める方向に回転させる。固定用ネジ２０７を六角ボルトによって実現することにより、ソケットレンチなどの汎用的な工具を用いて操作することができる。
【００４４】
つぎに、固定用ネジ２０７の座面と第２短絡片２０４との間に隙間ができるまで、固定用ネジ２０７を緩めた状態で、図９および図１０に示すように、固定用ネジ２０７に対して第２短絡片２０４をスライドさせる。第２短絡片２０４に設けられたスリット７０１が、第２短絡片２０４における１辺から連続して第２短絡片２０４の内側に凹んでいるため、固定用ネジ２０７を支持部材２０６から完全に取り外すことなく緩めるだけで、第２短絡片２０４を支持部材２０６から取り外すことができる。第２短絡片２０４を支持部材２０６から取り外すことにより、一対の端子部１０３（ロッド２０１）を開放（絶縁）することができる。
【００４５】
また、一対の端子部１０３が絶縁された状態において、一対の端子部１０３が絶縁された状態において、保護継電器と遮断器のトリップコイルとを接続する場合は、固定用ネジ２０７を緩めた状態で、一対の第１短絡片２０３の他端および導電補助部材２０５と固定用ネジ２０７の座面との間に第２短絡片２０４を挿入する。
【００４６】
第２短絡片２０４に設けられたスリット７０１が、第２短絡片２０４における１辺から連続して第２短絡片２０４の内側に凹んでいるため、固定用ネジ２０７を支持部材２０６から完全に取り外すことなく第２短絡片２０４におけるスリット７０１の開口端を固定用ネジ２０７の軸部２０７ａに押しつけるようにしてスライドさせるだけで、第２短絡片２０４を一対の第１短絡片２０３の他端および導電補助部材２０５と固定用ネジ２０７の座面との間に位置付けることができる。
【００４７】
その後、固定用ネジ２０７を締める方向に回転させる。これにより、第２短絡片２０４を介して、一対の第１短絡片２０３の他端および導電補助部材２０５が短絡、すなわち、電気的に接続され、保護継電器と遮断器のトリップコイルとを接続することができる。
【００４８】
第２短絡片２０４を取り外して一対の端子部１０３（ロッド２０１）を開放（絶縁）している間は、図１１に示すように、取り外した第２短絡片２０４を、名称プレート１０５に載せておいてもよい。第２短絡片２０４は、ツマミ部７０２が設けられている面とは反対側の面にリブ７０３を備えているため、名称プレート１０５の角部にリブ７０３を突き当てるようにして第２短絡片２０４を名称プレート１０５に載せるようにしてもよい。
【００４９】
第２短絡片２０４を取り外すごとに、取り外した第２短絡片２０４を、接続先の機器や当該ロック端子の名称などが記載されている名称プレート１０５に載せることにより、第２短絡片２０４の紛失を防止することができる。また、リブ７０３を利用することにより、載せ方が不完全で作業の途中で第２短絡片２０４が名称プレート１０５から落下してしまうことを防止できる。
【００５０】
あるいは、パネル３０１における各ロック端子１００や各名称プレート１０５の近傍に、取り外した第２短絡片２０４を挿入するスリット（挿入穴）を設け、当該スリット（挿入穴）に取り外した第２短絡片２０４を挿入して保持させるようにしてもよい。これによっても、第２短絡片２０４の紛失を防止することができる。
【００５１】
以上説明したように、この発明にかかる実施の形態のロック端子１００は、一対の端子部１０３と、導電材料を用いて形成されて一対の端子部１０３のそれぞれに電気的に接続され、当該一対の端子部１０３の対向方向において離間した一対の第１短絡片２０３と、導電材料を用いて形成され、一対の第１短絡片２０３とは別体であって、当該一対の第１短絡片２０３のそれぞれに接触することにより当該一対の第１短絡片２０３どうしを電気的に接続する第２短絡片２０４と、第２短絡片２０４を一対の第１短絡片２０３のそれぞれに接触した状態で固定する単一の固定部材を実現する固定用ネジ２０７と、を備えたことを特徴としている。
【００５２】
この発明にかかる実施の形態のロック端子１００によれば、第２短絡片２０４が一対の第１短絡片２０３と別体であって、単一の固定用ネジ２０７によって固定されているため、一対の端子部１０３のそれぞれに電気的に接続された一対の第１短絡片２０３のそれぞれを取り外すことなく、固定用ネジ２０７による１箇所の固定を解除して第２短絡片２０４を着脱するだけで、一対の端子部１０３を短絡したり開放したりすることができる。
【００５３】
これにより、単一の短絡片（図示を省略する）を一対の端子部１０３の間に架け渡すことにより一対の端子部１０３を短絡する構成の従来のロック端子のように、各端子部１０３に対して短絡片を取り外す作業をおこなう場合よりも、作業時間を短縮することができる。これによって、従来のロック端子と比較して、ロック端子１００を操作して一対の端子部１０３を開放したり、短絡状態に復旧したりする作業にかかる手間を省き、作業効率の向上を図ることができる。
【００５４】
また、この発明にかかる実施の形態のロック端子１００によれば、単一の短絡片を一対の端子部１０３の間に架け渡すことにより一対の端子部１０３を短絡する構成の従来のロック端子における短絡部材を、この発明にかかる実施の形態のロック端子１００における一対の第１短絡片２０３および第２短絡片２０４に交換することにより、作業時間を短縮することができるロック端子１００を、既設の保護継電器盤１０１に容易に適用することができる。
【００５５】
具体的には、保護継電器盤１０１のパネル３０１に、導電補助部材２０５を備えた支持部材２０６を設け、単一の短絡片を一対の端子部１０３に交換して、当該一対の端子部１０３を第２短絡片２０４によって電気的に接続することによって、作業時間を短縮することができるロック端子１００を、既設の保護継電器盤１０１に容易に適用することができる。
【００５６】
また、一対の端子部１０３を第２短絡片２０４によって電気的に接続する構成とすることにより、一対の端子部１０３（１０３ａ、１０３ｂ）のうちいずれか一方の締め付けが甘いなどの誤操作にともなうヒューマンエラーの発生を回避することができる。これによっても、一対の端子部１０３を容易かつ確実に短絡したり開放したりすることができ、作業時間を短縮して、作業効率の向上を図ることができる。
【００５７】
そして、これらにより、従来のロック端子を用いた作業よりも迅速に停電復旧することができるので、電力需要家に対する電力の供給にかかる信頼性や、電力需要家の満足度の向上を図ることができる。
【００５８】
また、この発明にかかる実施の形態のロック端子１００は、固定部材が、外周面にネジ山が形成された軸部２０７ａと、当該軸部２０７ａの一端に設けられて締付工具による操作を受け付ける頭部２０７ｂと、を備えたネジ（固定用ネジ２０７）であることを特徴としている。
【００５９】
この発明にかかる実施の形態のロック端子１００によれば、レンチ（スパナ）やドライバーなどの汎用的な締付工具を用いて第２短絡片２０４を着脱することができる。これにより、固定部材であるネジ（固定用ネジ２０７）を確実に締め付けることができるので、締付ネジ３０３を手で操作して締め付ける従来のロック端子１００と比較して、締め付け度合いが甘いために短絡が不完全になるなどの不具合を防止することができる。
【００６０】
また、締付工具を用いて固定用ネジ２０７を操作することにより、締付ネジ３０３を手で操作して締め付ける従来のロック端子１００のように、作業者によって締め付け度合いが異なるために、つぎに締付ネジ３０３を緩める作業者に負担がかかることをなくし、固定部材であるネジを確実に緩めることができる。これにより、作業者に左右されることなく容易かつ確実に一対の端子部１０３を短絡したり開放したりすることができる。これによって、作業効率の向上を図ることができる。
【００６１】
また、この発明にかかる実施の形態のロック端子１００によれば、一対の第１短絡片２０３および第２短絡片２０４によって、一対の端子部１０３を容易に開放自在に短絡することができ、一対の端子部１０３の開閉にかかる構成部品がシンプルであるため、破損などのおそれを極力低減することができる。
【００６２】
さらに、この発明にかかる実施の形態のロック端子１００によれば、当該ロック端子１００を構成する部品が、単一の短絡片を一対の端子部１０３の間に架け渡すことにより一対の端子部１０３を短絡する構成の従来のロック端子とほぼ同等の大きさであるため、既存のロック端子に置き換えてロック端子１００を適用することができ、ロック端子１００を幅広い範囲に適用することができる。
【００６３】
また、この発明にかかる実施の形態のロック端子１００によれば、一対の第１短絡片２０３がそれぞれロッド２０１に固定されているため、従来は単体であった短絡部材を２つの第１短絡片２０３にした場合にも、いずれか一方の第１短絡片２０３を紛失してしまうことを防止できる。
【産業上の利用可能性】
【００６４】
以上のように、この発明にかかるロック端子は、保護継電器盤などに配置されるロック端子に有用であり、特に、一連の作業において複数操作する必要があるロック端子に適している。
【符号の説明】
【００６５】
１００  ロック端子
１０３  端子部
２０３  第１短絡片
２０４  第２短絡片
２０５  導電補助部材
２０７  固定用ネジ
２０７ａ  軸部
２０７ｂ  頭部
３０４  ネジ穴
【図１】
2020021578.tif 000003
【図２】
2020021578.tif 000004
【図３】
2020021578.tif 000005
【図４】
2020021578.tif 000006
【図５】
2020021578.tif 000007
【図６】
2020021578.tif 000008
【図７】
2020021578.tif 000009
【図８】
2020021578.tif 000010
【図９】
2020021578.tif 000011
【図１０】
2020021578.tif 000012
【図１１】
2020021578.tif 000013